(57)【要約】【課題】家屋に隣接してプロパンボンベを配設したときに、美観を保つことができ、かつ、プロパンボンベを交換する際に邪魔になることが抑制された、プロパンボンベと共に用いられる壁体を提供すること。【解決手段】上下方向に延びる一対の上下辺と水平方向に延びる一対の水平辺とで囲繞された壁体本体と、家屋の外壁に固定され、上下方向に延びる支持部材と、を備え、壁体本体の一対の上下辺のうち一方の上下辺が前記支持部材に軸支され、一対の上下辺のうち他方の上下辺が、一方の上下辺を中心に、壁体本体が前記家屋の外壁と沿って配設された第１位置から、壁体本体が第１位置から所定角度回動して壁体本体が家屋の外壁から立設された第２位置まで回動可能に構成され、壁体本体には、一対の水平辺のうち下側の水平辺から下方向に出退可能に、下辺用補助部材を備える。【選択図】図１０
2019112919.tif 000002
【特許請求の範囲】
【請求項１】
家屋の軒先の下に配設されるプロパンボンベと共に用いられる壁体であって、
上下方向に延びる一対の上下辺と水平方向に延びる一対の水平辺とで囲繞された壁体本体と、
前記家屋の外壁に固定され、上下方向に延びる支持部材と、を備え、
前記壁体本体の前記一対の上下辺のうち一方の上下辺が前記支持部材に軸支され、前記一対の上下辺のうち他方の上下辺が、前記一方の上下辺を中心に、前記壁体本体が前記家屋の外壁と沿って配設された第１位置から、前記壁体本体が前記第１位置から所定角度回動して前記壁体本体が前記家屋の外壁から立設された第２位置まで回動可能に構成され、
前記壁体本体には、前記一対の水平辺のうち下側の水平辺から下方向に出退可能に、下辺用補助部材を備えることを特徴とするプロパンボンベと共に用いられる壁体。
【請求項２】
前記下辺用補助部材が板体からなり、
前記下辺用補助部材が、前記壁体本体の前記一対の上下辺のうち一方の上下辺から、前記壁体本体の前記一対の上下辺のうち他方の上下辺に至る、水平寸法を有し、
前記下辺用補助部材における前記壁体本体の前記一方の上下辺と対向する側を中心側とし、前記下辺用補助部材における前記壁体本体の前記他方の上下辺と対向する側を外方側としたとき、
前記下辺用補助部材の前記中心側に、中心側貫通口を備え、
前記下辺用補助部材の前記外方側に、外方側貫通口を備え、
前記下辺用補助部材が、前記中心側貫通口を貫通する中心側貫通口用固定具、および、前記外方側貫通口を貫通する外方側貫通口用固定具によって前記壁体本体に固定されるように構成され、
前記中心側貫通口が、少なくとも、水平方向に横長の長穴部を備え、
前記外方側貫通口が、少なくとも、上下方向に縦長の長穴部を備えることを特徴とする請求項１記載のプロパンボンベと共に用いられる壁体。
【請求項３】
前記外方側貫通口が、前記上下方向に縦長の長穴部の下端および上端から水平方向に凹没して前記外方側貫通口用固定具が進入可能に形成される凹没部を備えることを特徴とする請求項２記載のプロパンボンベと共に用いられる壁体。
【請求項４】
その基端部が前記一方の上下辺に沿って前記壁体本体に固定され、前記基端部から平面視において前記支持部材の存在箇所側に延びて先端部が形成される、上下辺用補助部材を備え、
前記上下辺用補助部材が、前記壁体本体が前記第１位置に位置するとき、および、前記壁体本体が前記第１位置から前記第２位置まで回動する途中位置に位置するとき、および、前記壁体本体が前記第２位置に位置するとき、前記先端部と前記支持部材とが所定離間寸法離間して、前記上下辺用補助部材が前記支持部材に沿って配設されるように構成され、
前記壁体本体が前記第２位置に位置するとき、前記基端部と前記先端部との間の中間部が、前記支持部材と接当するように構成されることを特徴とする請求項１から請求項３記載のプロパンボンベと共に用いられる壁体。
【請求項５】
前記支持部材が、前記家屋の外壁と所定寸法の間隙を存して、前記家屋の外壁に固定され、前記所定寸法の間隙を閉塞する板体からなる閉塞体を備えることを特徴とする請求項１から請求項４記載のプロパンボンベと共に用いられる壁体。
【発明の詳細な説明】
【技術分野】
【０００１】  本発明は、家屋の軒先の下に配設されるプロパンボンベと共に用いられる壁体の構造に関するものである。
【背景技術】
【０００２】  従来から、プロパンボンベを収納する、プロパンボンベ収納庫が知られている（例えば、特許文献１参照）。
【先行技術文献】
【特許文献】
【０００３】
【特許文献１】特開平１１−２５７６００号公報
【発明の概要】
【発明が解決しようとする課題】
【０００４】  上記特許文献１に示される従来例にあっては、左右一対の側板と、側板の開口部を塞ぐ扉によってプロパンボンベ収納庫が構成されている。【０００５】  このようなプロパンボンベ収納庫は、家屋に隣接してプロパンボンベを配設したときにも、美観を保つことができ有意義である。【０００６】  しかし、上記特許文献１に示される従来例にあっては、左右一対の側板と、側板の開口部を塞ぐ扉が必要であるから、製造コストが高くなりがちである。【０００７】  これに対し、家屋に隣接してプロパンボンベを配設したときに、製造コストを低減するために、プロパンボンベと隣接して家屋の外壁に壁体を固定して設置することで、美観を保つことが考えられる。【０００８】  しかし、プロパンボンベを交換する際に、隣接して家屋の外壁に壁体を固定して設置された壁体が邪魔になることが考えられる【０００９】  本発明は上記の事情に鑑みてなされたものであって、その目的とするところは、
家屋に隣接してプロパンボンベを配設したときに、美観を保つことができ、かつ、プロパンボンベを交換する際に邪魔になることが抑制された、プロパンボンベと共に用いられる壁体を提供することにある。
【課題を解決するための手段】
【００１０】  前記の課題を解決するために、本発明によるプロパンボンベと共に用いられる壁体は、家屋の軒先の下に配設されるプロパンボンベと共に用いられる壁体であって、上下方向に延びる一対の上下辺と水平方向に延びる一対の水平辺とで囲繞された壁体本体と、前記家屋の外壁に固定され、上下方向に延びる支持部材と、を備え、前記壁体本体の前記一対の上下辺のうち一方の上下辺が前記支持部材に軸支され、前記一対の上下辺のうち他方の上下辺が、前記一方の上下辺を中心に、前記壁体本体が前記家屋の外壁と沿って配設された第１位置から、前記壁体本体が前記第１位置から所定角度回動して前記壁体本体が前記家屋の外壁から立設された第２位置まで回動可能に構成され、前記壁体本体には、前記一対の水平辺のうち下側の水平辺から下方向に出退可能に、下辺用補助部材を備えることを特徴とする。【００１１】  このように構成することで、家屋に隣接してプロパンボンベを配設したときに、美観を保つことができ、かつ、プロパンボンベを交換する際に邪魔になることが抑制された、プロパンボンベと共に用いられる壁体を提供できるに至った。【００１２】  なお、前記下辺用補助部材が板体からなり、前記下辺用補助部材が、前記壁体本体の前記一対の上下辺のうち一方の上下辺から、前記壁体本体の前記一対の上下辺のうち他方の上下辺に至る、水平寸法を有し、前記下辺用補助部材における前記壁体本体の前記一方の上下辺と対向する側を中心側とし、前記下辺用補助部材における前記壁体本体の前記他方の上下辺と対向する側を外方側としたとき、前記下辺用補助部材の前記中心側に、中心側貫通口を備え、前記下辺用補助部材の前記外方側に、外方側貫通口を備え、前記下辺用補助部材が、前記中心側貫通口を貫通する中心側貫通口用固定具、および、前記外方側貫通口を貫通する外方側貫通口用固定具によって前記壁体本体に固定されるように構成され、前記中心側貫通口が、少なくとも、水平方向に横長の長穴部を備え、前記外方側貫通口が、少なくとも、上下方向に縦長の長穴部を備えることが好ましい。【００１３】  このように構成することで、軒先の下のプロパンボンベが配設される箇所と壁体本体の下端との間の隙間を、下辺用補助部材によって簡単に塞ぐことができる。【００１４】  つまり、軒先の下は一般的に犬走りという、家屋の外壁から遠ざかるほど低くなる傾斜面が形成されることが多く、支持体に設けられた中心軸を中心として壁体本体の一方の上下辺を中心としてこの傾斜面の上を回動する壁体本体とこの傾斜面との間の隙間は、支持体に軸支される一方の上下辺側と比べて、他方の上下辺側が大きくなることになる。【００１５】  したがって、外方側貫通口が、少なくとも、上下方向に縦長の長穴部を備えることで、一方の上下辺側と比べて、他方の上下辺側が大きくなる壁体本体とこの傾斜面との間の隙間を塞ぐための下辺用補助部材の上下位置の調節が容易に行えるのである。【００１６】  なお、中心側貫通口が、少なくとも、水平方向に横長の長穴部を備えることで、中心側貫通口と外方側貫通口との離間寸法のバラツキ、および、または、中心側貫通口用固定具と外方側貫通口用固定具との離間寸法のバラツキがある場合にも、壁体本体への下辺���補助部材の取り付けが適正に行えるのである。【００１７】  また、前記外方側貫通口が、前記上下方向に縦長の長穴部の下端および上端から水平方向に凹没して前記外方側貫通口用固定具が進入可能に形成される凹没部を備えることが好ましい。【００１８】  このように構成することで、犬走り上において、他方の上下辺側が大きくなる壁体本体とこの傾斜面との間の隙間を塞ぐための下辺用補助部材の上下位置の調節を行う際に、外方側貫通口用固定具を凹没部に進入させて、下辺用補助部材の上下方向位置を仮止めすることができ、壁体本体への下辺用補助部材の取り付けが容易に行えるのである。【００１９】  また、その基端部が前記一方の上下辺に沿って前記壁体本体に固定され、前記基端部から平面視において前記支持部材の存在箇所側に延びて先端部が形成される、上下辺用補助部材を備え、前記上下辺用補助部材が、前記壁体本体が前記第１位置に位置するとき、および、前記壁体本体が前記第１位置から前記第２位置まで回動する途中位置に位置するとき、および、前記壁体本体が前記第２位置に位置するとき、前記先端部と前記支持部材とが所定離間寸法離間して、前記上下辺用補助部材が前記支持部材に沿って配設されるように構成され、前記壁体本体が前記第２位置に位置するとき、前記基端部と前記先端部との間の中間部が、前記支持部材と接当するように構成されることが好ましい。【００２０】  このように構成することで、壁体本体が第２位置に位置するとき、基端部と先端部との間の中間部が、支持部材と接当するので、壁体本体と支持部材との間に形成される隙間を上下辺用補助部材によって塞ぐことができ、しかも、壁体本体が第１位置に位置するとき、および、壁体本体が第１位置から第２位置まで回動する途中位置に位置するとき、および、壁体本体が第２位置に位置するとき、先端部と支持部材とが所定離間寸法離間しているので、作業者の手指等が不用意に先端部に近づいたときにも、手指等が不用意に先端部に触れたときに手指等が不用意に先端部に近づいたことに作業者が気づくことができ、手指が上下辺用補助部材と支持部材との間に挟まれてしまうことを未然に防止することができるのである。【００２１】  また、前記支持部材が、前記家屋の外壁と所定寸法の間隙を存して、前記家屋の外壁に固定され、前記所定寸法の間隙を閉塞する板体からなる閉塞体を備えることが好ましい。【００２２】  このように構成することで、本発明による壁体と家屋の外壁との間にガス管などを配設する場合、このガス管などの配設が容易に行え、このガス管が配設される位置に切欠きを設けた閉塞体によって、支持部材と家屋の外壁との間の間隙を塞ぐことができるのである。
しかも閉塞体が板体からなるので、ガス管が配設される位置に、容易に切欠きを設けることが可能となる。
【発明の効果】
【００２３】  本発明によって、家屋に隣接してプロパンボンベを配設したときに、美観を保つことができ、かつ、プロパンボンベを交換する際に邪魔になることが抑制された、プロパンボンベと共に用いられる壁体を提供できるに至った。
また、軒先の下のプロパンボンベが配設される箇所と壁体本体の下端との間の隙間を、下辺用補助部材によって簡単に塞ぐことができる。
また、犬走り上において、他方の上下辺側が大きくなる壁体本体とこの傾斜面との間の隙間を塞ぐための下辺用補助部材の上下位置の調節を行う際に、外方側貫通口用固定具を凹没部に進入させて、下辺用補助部材の上下方向位置を仮止めすることができ、壁体本体への下辺用補助部材の取り付けが容易に行える
また、壁体本体が第２位置に位置するとき、基端部と先端部との間の中間部が、支持部材と接当するので、壁体本体と支持部材との間に形成される隙間を上下辺用補助部材によって塞ぐことができ、しかも、壁体本体が第１位置に位置するとき、および、壁体本体が第１位置から第２位置まで回動する途中位置に位置するとき、および、壁体本体が第２位置に位置するとき、先端部と支持部材とが所定離間寸法離間しているので、作業者の手指等が不用意に先端部に近づいたときにも、手指等が不用意に先端部に触れたときに手指等が不用意に先端部に近づいたことに作業者が気づくことができ、手指が上下辺用補助部材と支持部材との間に挟まれてしまうことを未然に防止することができる
また、本発明による壁体と家屋の外壁との間にガス管などを配設する場合、このガス管などを配設が容易に行え、このガス管が配設される位置に切欠きを設けた閉塞体によって、支持部材と家屋の外壁との間の間隙を塞ぐことができるのである。
しかも閉塞体が板体からなるので、ガス管が配設される位置に、容易に切欠きを設けることが可能となる。
【図面の簡単な説明】
【００２４】
【図１】本発明の一実施形態の壁体本体が第２位置に位置するときのプロパンボンベと共に用いられる壁体の斜視図である。
【図２】本発明の一実施形態のプロパンボンベと共に用いられる壁体の平面図である。
【図３】本発明の一実施形態の壁体本体が第１位置に位置するときのプロパンボンベと共に用いられる壁体の斜視図である。
【図４】本発明の一実施形態の壁体本体が第１位置に位置するときのプロパンボンベと共に用いられる壁体の、プロパンボンベが設置位置から搬出される直前の斜視図である。
【図５】本発明の一実施形態の壁体本体が第１位置に位置するときのプロパンボンベと共に用いられる壁体の、プロパンボンベが設置位置から搬出される途中の斜視図である。
【図６】本発明の一実施形態の壁体本体が第１位置に位置するときのプロパンボンベと共に用いられる壁体の、プロパンボンベが設置位置から搬出された後の斜視図である。
【図７】本発明の一実施形態の壁体本体が第２位置に位置するときのプロパンボンベと共に用いられる壁体を、上下辺用補助部材と共に示す平面図である。
【図８】本発明の一実施形態の壁体本体が途中位置に位置するときのプロパンボンベと共に用いられる壁体を、上下辺用補助部材と共に示す平面図である。
【図９】本発明の一実施形態の壁体本体が第１位置に位置するときのプロパンボンベと共に用いられる壁体を、上下辺用補助部材と共に示す平面図である。
【図１０】本発明の一実施形態のプロパンボンベと共に用いられる壁体を、下辺用補助部材と共に示す側面図である。
【図１１】本発明の一実施形態のプロパンボンベと共に用いられる壁体を、下辺用補助部材と共に示す側面図である。
【図１２】本発明の一実施形態のプロパンボンベと共に用いられる壁体を、下辺用補助部材と共に示す側面図である。
【図１３】本発明の一実施形態のプロパンボンベと共に用いられる壁体に備える、下辺用補助部材を示す側面図である。
【図１４】本発明の一実施形態のプロパンボンベと共に用いられる壁体に閉塞体を装着する前の状態を示す側面図である。
【図１５】本発明の一実施形態のプロパンボンベと共に用いられる壁体に閉塞体を装着した状態を示す側面図である。
【発明を実施するための形態】
【００２５】  以下、本発明の実施の形態について、図面を参照しながら説明する。
なお、図１、図３、図４、図５、図６においては、後述する、下辺用補助部材５０および上下辺用補助部材７０および閉塞体７７の記載を省略している。
また、図２、図７、図８、図９においては、後述する、下辺用補助部材５０および閉塞体７７の記載を省略している。
また、図１０、図１１、図１２、図１４においては、後述する、上下辺用補助部材７０および閉塞体７７の記載を省略している。
また、図１５においては、後述する上下辺用補助部材７０の記載を省略している。
【００２６】  図１は、プロパンボンベ８０と共に用いられる壁体１０を示し、本実施形態では、家屋の軒先の下８１に配設されるプロパンボンベ８０（図において一点鎖線にて示す）と共に用いられている。
【００２７】  壁体１０は、上下方向に延びる一対の上下辺２０と水平方向に延びる一対の水平辺３０とで囲繞された壁体本体１１を備え、家屋の外壁８２に固定され、上下方向に延びる支持部材４０を備える。
なお、支持部材４０は、図２、図７、図８、図９に示すように支持金具４１を用いて、家屋の外壁８２に固定されている。
【００２８】  壁体本体１１の一対の上下辺２０のうち一方の上下辺２１が支持部材４０に軸支され、一対の上下辺２０のうち他方の上下辺２２が、一方の上下辺２１に設けた回動軸４４を中心に、壁体本体１１が家屋の外壁８２と沿って配設された第１位置（図３、図４、図５、図６、図９に示す壁体本体１１の位置。）から、壁体本体１１が第１位置から所定角度（本実施形態では、９０度としてあるが、９０度未満の角度でもよい。）回動して壁体本体１１が家屋の外壁８２から立設された第２位置（図１、図２、図７、図１０、図１１、図１２、図１４、図１５示す壁体本体１１の位置。）まで回動可能に構成されている。
つまり、一方の上下辺２１を中心に、壁体本体１１が上記第１位置から上記第２位置まで回動可能に構成されている。
【００２９】  そして、図１０、図１１、図１２等に示すように、壁体本体１１には、一対の水平辺３０のうち下側の水平辺３２から下方向に出退可能に、下辺用補助部材５０を備えている。なお、下辺用補助部材５０については、後に詳述する。
【００３０】  本発明による、プロパンボンベ８０と共に用いられる壁体１０は、このように構成されているので、家屋に隣接してプロパンボンベ８０を配設したときに、美観を保つことができ、かつ、プロパンボンベ８０を交換する際に邪魔になることが抑制された、プロパンボンベと共に用いられる壁体を提供できるに至った。
【００３１】  つまり、壁体本体１１が家屋の外壁８２から立設された第２位置（図１、図２、図７、図１０、図１１、図１２、図１４、図１５示す壁体本体１１の位置。）に位置するとき、壁体１０によって、プロパンボンベ８０（図において一点鎖線にて示す）を覆い隠すことができ、壁体本体１１が家屋の外壁８２と沿って配設された第１位置（図３、図４、図５、図６、図９に示す壁体本体１１の位置。）に位置するとき、家屋の外壁８２と隣家との境界線８４（図において一点鎖線にて示す）との間を通ってプロパンボンベ８０（図において一点鎖線にて示す）を移動させる場合に、壁体本体１１が邪魔にならない。
【００３２】  なお、家屋の外壁８２と隣家との境界線８４（図において一点鎖線にて示す）との間を通ってプロパンボンベ８０を移動させる様子を、図４−図５−図６に示す。
【００３３】  本実施形態では、下辺用補助部材５０が板体（例えば、めっき鋼板、または、ステンレス鋼板）から構成される。
そして、図１０、図１１、図１２に示すように、下辺用補助部材５０が、壁体本体１１の一対の上下辺２０のうち一方の上下辺２１から、壁体本体１１の一対の上下辺２０のうち他方の上下辺２２に至る、水平寸法を有する。
【００３４】  そして、下辺用補助部材５０における壁体本体１１の一方の上下辺２１と対向する側を中心側５１（図１０、図１１、図１２において左向きの白抜き矢印にて示す方向）とし、下辺用補助部材５０における壁体本体１１の他方の上下辺２２と対向する側を外方側５４（図１０、図１１、図１２において右向きの白抜き矢印にて示す方向）としたとき、下辺用補助部材５０の中心側５１に、中心側貫通口５２を備え、下辺用補助部材５０の外方側５４に、外方側貫通口５５を備える。
【００３５】  そして、下辺用補助部材５０が、中心側貫通口５２を貫通する中心側貫通口用固定具６１、および、外方側貫通口５５を貫通する外方側貫通口用固定具６２によって壁体本体１１に固定されるように構成されており、図１０、図１１、図１２、図１３に示すように、中心側貫通口５２が、水平方向に横長の長穴部５３を備え、外方側貫通口５５が、上下方向に縦長の長穴部５６を備えている。
【００３６】  因みに、軒先の下は一般的に犬走りという、家屋の外壁８２から遠ざかるほど低くなる傾斜面８１が形成されることが多く、支持部材４０に設けられた回動軸４４を中心として壁体本体１１の一方の上下辺２１を中心としてこの傾斜面８１の上を回動する壁体本体１１とこの傾斜面８１との間の隙間は、支持体に軸支される一方の上下辺２１側と比べて、他方の上下辺２２側が大きくなることになる。
【００３７】  したがって、外方側貫通口５５が、上下方向に縦長の長穴部５６を備えることで、一方の上下辺２１側と比べて、他方の上下辺２２側が大きくなる壁体本体１１とこの傾斜面８１との間の隙間を塞ぐための下辺用補助部材５０の上下位置の調節が容易に行えるのである。
【００３８】  なお、中心側貫通口５２が、水平方向に横長の長穴部５３を備えることで、中心側貫通口５２と外方側貫通口５５との離間寸法のバラツキ、および、または、中心側貫通口用固定具６１と外方側貫通口用固定具６２との離間寸法のバラツキがある場合にも、壁体本体１１への下辺用補助部材５０の取り付けが適正に行えるのである。
【００３９】  さらに、図１０、図１１、図１２、図１３に示すように、本実施形態では、外方側貫通口５５が、上下方向に縦長の長穴部５６の下端および上端から水平方向に凹没して外方側貫通口用固定具６２が進入可能に形成される凹没部５７を備えている。
【００４０】  このように構成されているので、犬走り８１上において、他方の上下辺２２側が大きくなる壁体本体１１とこの傾斜面（犬走り）８１との間の隙間を塞ぐための下辺用補助部材５０の上下位置の調節を行う際に、図１０に示すように、外方側貫通口用固定具６２を下側の凹没部５７に進入させて、下辺用補助部材５０の上下方向位置を仮止めすることができ、壁体本体１１への下辺用補助部材５０の取り付けや、回動軸４４を中心とした壁体本体１１の回動が容易に行えるのである。
【００４１】  なお、図１２に示すように、壁体本体１１とこの傾斜面（犬走り）８１との間の隙間の大きさに応じて、外方側貫通口用固定具６２を縦長の長穴部５６を貫通した状態で下辺用補助部材５０の上下位置を調節した状態で下辺用補助部材５０を固定することが可能である。
【００４２】  さらに、本実施形態では、図７、図８、図９に示すように、その基端部７１が一方の上下辺２１に沿って壁体本体１１に固定される上下辺用補助部材７０を備える。
なお、図示しないが、上下辺用補助部材７０は、壁体本体１１の上下方向寸法と略同等の上下方向寸法を有する。
【００４３】  また、上下辺用補助部材７０には、基端部７１から平面視において支持部材４０の存在箇所側に延びて先端部７３が形成されている。
【００４４】  そして、上下辺用補助部材７０が、壁体本体１１が家屋の外壁８２と沿って配設された第１位置に位置するとき、および、壁体本体１１が第１位置から、壁体本体１１が家屋の外壁８２から立設された第２位置まで回動する途中位置に位置するとき、および、壁体本体１１が家屋の外壁８２から立設された第２位置に位置するとき、つまり、壁体本体１１が第１位置に位置するとき、または、第２位置に位置するとき、第１位置から第２位置まで回動する途中位置に位置するときの何れの位置に位置するときであっても、先端部７３と支持部材４０とが所定離間寸法Ａ（本実施形態では、所定離間寸法Ａを２０ｍｍとしてある）離間して、上下辺用補助部材７０が支持部材４０に沿って配設されるように構成されている。
【００４５】  なお、壁体本体１１が家屋の外壁８２から立設された第２位置に位置するときには、基端部７１と先端部７３との間の中間部７２が、支持部材４０と接当するように構成されている。
【００４６】  このように構成されており、壁体本体１１が家屋の外壁８２と沿って配設された第２位置に位置するとき、基端部７１と先端部７３との間の中間部７２が、支持部材４０と接当するので、壁体本体１１と支持部材４０との間に形成される隙間を上下辺用補助部材７０によって塞ぐことができ、しかも、壁体本体１１が第１位置、第２位置、途中位置の何れの位置に位置するときであっても、先端部７３と支持部材４０とが所定離間寸法Ａ（本実施形態では、所定離間寸法Ａを２０ｍｍとしてある）離間しているので、プロパンボンベ８０を交換する作業者の手指等が不用意に先端部７３に近づいたときにも、作業者の手指等が不用意に先端部７３に触れたときに手指等が不用意に先端部７３に近づいたことにプロパンボンベ８０を交換する作業者が気づくことができ、プロパンボンベ８０を交換する作業者の手指が上下辺用補助部材７０と支持部材４０との間に挟まれてしまうことを未然に防止することができる。
【００４７】  さらに、本実施形態では、図１４に示すように、支持部材４０が、家屋の外壁８２と所定寸法の間隙Ｂを存して、家屋の外壁８２に固定される。つまり、図１４では図示を省略してあるが、図２、図７、図８、図９に示すように支持金具４１を用いて、支持部材４０が、家屋の外壁８２と所定寸法の間隙Ｂ（本実施形態では、Ｂ＝３０ｍｍとしてある。）を存して、家屋の外壁８２に固定される。そして、図１５に示すように、この所定寸法の間隙Ｂを閉塞する板体（板厚０．５ｍｍのめっき鋼板またはステンレス鋼板）からなる閉塞体７７を備える。
【００４８】  このように構成することで、図１５に示すように、壁体１０と家屋の外壁８２との間にガス管８３などを配設する場合、ガス管８３などの配設が容易に行え、ガス管８３が配設される位置に配管通過用切欠き７８を設けた閉塞体７７によって、支持部材４０と家屋の外壁８２との間の間隙Ｂを塞ぐことができるのである。
【００４９】  しかも閉塞体７７が板体からなるので、ガス管８３が配設された位置に、容易に作業者が配管通過用切欠き７８を設けることが可能となる。
【００５０】  発明は、上記実施形態に限定されるものではなく、本発明の範囲内において種々の変形を加えることが可能である。
【符号の説明】
【００５１】  １０  壁体
１１  壁体本体
２０  上下辺
２１  一方の上下辺
２２  他方の上下辺
３０  水平辺
３１  上側の水平辺
３２  下側の水平辺
４０  支持部材
４１  支持金具
４４  回動軸
５０  下辺用補助部材
５１  中心側
５２  中心側貫通口
５３  横長の長穴部
５４  外方側
５５  外方側貫通口
５６  縦長の長穴部
５７  凹没部
６１  中心側貫通口用固定具
６２  外方側貫通口用固定具
７０  上下辺用補助部材
７１  基端部
７２  中間部
７３  先端部
Ａ    所定離間寸法
Ｂ    所定寸法の間隙
７７  閉塞体
７８  配管通過用切欠き
８０  プロパンボンベ
８１  家屋の軒先の下（傾斜面、犬走り）
８２  家屋の外壁
８３  ガス管
８４  隣家との境界線
【図１】
2019112919.tif 000003
【図２】
2019112919.tif 000004
【図３】
2019112919.tif 000005
【図４】
2019112919.tif 000006
【図５】
2019112919.tif 000007
【図６】
2019112919.tif 000008
【図７】
2019112919.tif 000009
【図８】
2019112919.tif 000010
【図９】
2019112919.tif 000011
【図１０】
2019112919.tif 000012
【図１１】
2019112919.tif 000013
【図１２】
2019112919.tif 000014
【図１３】
2019112919.tif 000015
【図１４】
2019112919.tif 000016
【図１５】
2019112919.tif 000017